(57)【要約】【課題】洗濯から収納までに必要ないわゆる洗濯動線を極力短くすることができる建物を提供する。【解決手段】バルコニー１１と、このバルコニー１１に隣接して設けられた洗濯機置場１６を備えた洗面室１２と、バルコニー１１に隣接して設けられた収納室１７とを備え、バルコニー１１と洗面室１２との間にある外壁１４に第１出入口１５が設けられ、バルコニー１１と収納室１７との間にある外壁１８に第２出入口２０が設けられているので、洗濯機置場１６に設置してある洗濯機で洗濯した後、洗濯物をすぐに第１出入口１５を通ってバルコニー１１まで運ぶことができ、また、乾いた洗濯物をバルコニー１１からすぐに第２出入口２０を通って収納室１７まで運び、この収納室１７で畳んで、同収納室１７に収納できる。したがって、洗濯から収納までに必要ないわゆる洗濯動線を極力短くできる。【選択図】図１
2008202227.tif 000002
【特許請求の範囲】
【請求項１】
バルコニーと、このバルコニーに隣接して設けられた洗濯機置場を備えた洗面室と、前記バルコニーに隣接して設けられた収納室とを備え、
前記バルコニーと洗面室との間にある外壁には第１出入口が設けられ、前記バルコニーと収納室との間にある外壁には第２出入口が設けられていることを特徴とする建物。
【請求項２】
請求項１に記載の建物において、
前記収納室に隣接して部屋が設けられており、この部屋と収納室とを仕切る壁には第３出入口が設けられていることを特徴とする建物。
【請求項３】
請求項２に記載の建物において、
前記第２出入口と第３出入口とが対向していることを特徴とする建物。
【請求項４】
請求項１〜３のいずれか一項に記載の建物において、
前記洗濯機置場が前記バルコニーと洗面室との間にある外壁に沿って、かつ、前記第１出入口に近接して設けられていることを特徴とする建物。
【請求項５】
請求項１〜４のいずれか一項に記載の建物において、
前記洗面室に隣接して浴室が設けられ、この浴室への浴室出入口が前記第１出入口と対向していることを特徴とする建物。
【発明の詳細な説明】
【技術分野】
【０００１】
本発明は、バルコニーを備えた住宅等の建物に関する。
【背景技術】
【０００２】
バルコニーを備えた建物の一例として特許文献１に記載のものが知られている。この建物では、バルコニーの北側に隣接してダイニングが設けられるとともに、該バルコニーの東側に隣接してリビングが設けられている。
そして、バルコニーとダイニングとの間にある外壁、バルコニーとリビングとの間にある外壁にそれぞれ出入口が設けられ、これによって、バルコニーにはダイニングとリビングの双方から出入りできるようになっている。
【特許文献１】特開２００５−２６２８号公報
【発明の開示】
【発明が解決しようとする課題】
【０００３】
ところで、バルコニーに洗濯物を干す場合、１階または２階の洗面室等に設置されている洗濯機から洗濯物をバルコニーまで運び、また、乾いた洗濯物をバルコニーから取り込む場合、ユーティリティルームまで洗濯物を運び、ここで、洗濯物を畳んでクローゼット等に収納している。また、ユーティリティルームがない場合、例えば居間等の適当な場所で洗濯物を畳んでクローゼット等に収納している。
したがって、主婦等にとっては、洗面所等に設置されている洗濯機から洗濯物をバルコニーまで運び、さらに乾いた洗濯物をバルコニーからユーティリティルームや居間まで運び、さらに畳んだ洗濯物をクローゼットに収納するといった洗濯から収納までに必要な、いわゆる洗濯動線が長くなり手間のかかる作業となる。
【０００４】
本発明は上記事情に鑑みてなされたもので、洗濯から収納までに必要ないわゆる洗濯動線を極力短くすることができる建物を提供することを課題としている。
【課題を解決するための手段】
【０００５】
上記課題を解決するために、請求項１に記載の発明は、例えば図１に示すように、バルコニー１１と、このバルコニー１１に隣接して設けられた洗濯機置場１６を備えた洗面室１２と、前記バルコニー１１に隣接して設けられた収納室１７とを備え、
前記バルコニー１１と洗面室１２との間にある外壁１４には第１出入口１５が設けられ、前記バルコニー１１と収納室１７との間にある外壁１８には第２出入口２０が設けられていることを特徴とする。
【０００６】
請求項１に記載の建物によれば、洗濯機置場１６に設置してある洗濯機で洗濯した後、洗濯物をすぐに第１出入口１５を通ってバルコニー１１まで運ぶことができ、また、乾いた洗濯物をバルコニー１１からすぐに第２出入口２０を通って収納室１７まで運び、この収納室１７で畳んで、同収納室１７に収納できる。したがって、洗濯から収納までに必要ないわゆる洗濯動線を極力短くできる。
【０００７】
請求項２に記載の発明は請求項１に記載の建物において、
前記収納室１７に隣接して部屋３が設けられており、この部屋３と収納室１７とを仕切る壁２１には第３出入口２２が設けられていることを特徴とする。
【０００８】
請求項２に記載の発明によれば、収納室１７に隣接する部屋３を寝室とすると、収納室１７に収納してある衣服等を第３出入口２２を通ってすぐに寝室３に持ち込むことができ、利便性に優れたものとなる。
【０００９】
請求項３に記載の発明は、請求項２に記載の建物において、
前記第２出入口２０と第３出入口２２とが対向していることを特徴とする。
【００１０】
請求項３に記載の発明によれば、第２出入口２０と第３出入口２２とが対向しているので、これらを開放しておくことによって、バルコニー１１から収納室１７、収納室１７から部屋３へと、またその逆方向にも風の抜けがよくなり、比較的湿りがちな収納室１７の湿度上昇を防止できる。
【００１１】
請求項４に記載の発明は、請求項１〜３のいずれか一項に記載の建物において、
前記洗濯機置場１６が前記バルコニー１１と洗面室１２との間にある外壁１４に沿って、かつ、前記第１出入口１５に近接して設けられていることを特徴とする。
【００１２】
請求項４に記載の発明によれば、洗濯機置場１６に設置されている洗濯機から洗濯物を取り出し、第１出入口１５を通ってすぐにバルコニー１１に運ぶことができる。
【００１３】
請求項５に記載の発明は、請求項１〜４のいずれか一項に記載の建物において、
前記洗面室１２に隣接して浴室１３が設けられ、この浴室１３への浴室出入口２４が前記第１出入口１５と対向していることを特徴とする。
【００１４】
請求項５に記載の発明によれば、浴室出入口２４が前記第１出入口１５と対向しているので、バルコニー１１から洗面室１２、洗面室１２から浴室１３へと、またその逆方向にも風の抜けがよくなり、浴室１３の乾燥を促進できる。
【発明の効果】
【００１５】
本発明によれば、請求項１に記載の発明は、バルコニーと、このバルコニーに隣接して設けられた洗濯機置場を備えた洗面室と、前記バルコニーに隣接して設けられた収納室とを備え、前記バルコニーと洗面室との間にある外壁には第１出入口が設けられ、前記バルコニーと収納室との間にある外壁には第２出入口が設けられているので、洗濯機置場に設置してある洗濯機で洗濯した後、洗濯物をすぐに第１出入口を通ってバルコニーまで運ぶことができ、また、乾いた洗濯物をバルコニーからすぐに第２出入口を通って収納室まで運び、この収納室で畳んで、同収納室に収納できる。したがって、洗濯から収納までに必要ないわゆる洗濯動線を極力短くできる。
【発明を実施するための最良の形態】
【００１６】
以下図面を参照して本発明の実施の形態について説明する。
図１は本発明に係る収納構造を備えた建物の２階の平面図を示している。建物本体１の中央部西側寄りに１階床から２階天井まで吹き抜ける吹抜け空間２が設けられており、２階においては、吹抜け空間２に面して部屋３，４が設けられている。部屋３は夫婦の寝室として使用され、部屋４は子供部屋として使用されるものであり、吹抜け空間２を挟んで南北に配置されている。
部屋４と吹抜け空間２とは透明仕切壁５によって仕切られている。この透明仕切壁５は厚さ１０ｍｍの透明な強化ガラス板で形成されたものであり、その上端部は２階天井まで達している。
また、部屋４と吹抜け空間２とは透明仕切壁６によって仕切られている。この透明仕切壁６も厚さ１０ｍｍの透明な強化ガラス板で形成されたものであり、その上端部は２階天井まで達している。
また、透明仕切壁５，６の部屋側の上端部には、ブラインドが取り付けられており、このブラインドによって透明仕切壁５，６を覆えるようになっている。ブラインドによって透明仕切壁５，６を覆うことによって、部屋３，４と吹抜け空間２との間の視認性を遮断できるようになっている。
【００１７】
前記吹抜け空間２は建物本体１の西側の外壁に面しており、この外壁には２階において大窓７が設けられている。この大窓７は部屋３，４の上下の高さとほぼ等しい縦長の窓であり、吹抜け空間２の南北方向の長さ全体に亙って設けられている。
したがって、平面視長方形状の吹抜け空間２は、その２階部分において、二つの長辺と一つの短辺が透明なガラス板によって形成されている。
【００１８】
前記部屋４の東側に隣接して大型のウォークインクローゼット８が設けられており、このウォークインクローゼット８の東側に隣接して部屋９が設けられている。ウォークインクローゼット８には、部屋４および部屋９の双方から出入りできるようになっている。また、このウォークインクローゼット８には、廊下１０からも出入りできるようになっている。
【００１９】
また、２階の南東の角部には、バルコニー１１が設けられている。このバルコニー１１の北側に隣接して洗面室１２が設けられており、この洗面室１２の北側に隣接して浴室１３が設けられている。
バルコニー１１と洗面室１２との間にある外壁には、第１出入口１５が設けられており、この第１出入口１５はドア１５ａによって開閉されるようになっている。また、洗面室１２には、洗濯機置場１６がバルコニー１１と洗面室１２との間にある外壁１４に沿って、かつ、第１出入口１５に近接して設けられている。
【００２０】
また、バルコニー１１の西側に隣接して収納室１７が設けられており、この収納室１７の西側に隣接して前記部屋３が設けられている。この部屋３は夫婦の寝室として利用される部屋である。
バルコニー１１と収納室１７との間にある外壁には、第２出入口２０が設けられており、この第２出入口２０はドア２０ａによって開閉されるようになっている。また、収納室１７と部屋３とを仕切る壁２１には、第３出入口２２が設けられており、この第３出入口２２は引戸２２ａによって開閉されるようになっている。また、前記第２出入口２０と第３出入口２２とは対向している。したがって、収納室１７には、バルコニー１１と部屋３との双方から出入りできるようになっている。
収納室１７には、衣類を収納する収納部１７ａと、衣類を畳んだり、衣類にアイロンかけを行うための家事カウンター１７ｂとが設けられている。
【００２１】
前記浴室１３と洗面室１２とを仕切る壁２３は、透明なガラス板で形成されており、この壁２３には、浴室１３への浴室出入口２４が前記第１出入口１５と対向して設けられている。この浴室出入口２４は透明なガラス板で形成されたドア２４ａによって開閉されるようになっている。
また、浴室１３の西側に隣接してトイレ２５が設けられており、このトイレ２５と浴室１３と洗面室１２とが平面視において矩形状をなすようにして配置されている。
【００２２】
本実施の形態によれば、バルコニー１１と洗濯機置場１６を有する洗面室１２との間にある外壁１４に第１出入口１５が設けられ、バルコニー１１と収納室１７との間にある外壁１８に第２出入口２０が設けられているので、洗濯機置場１６に設置してある洗濯機で洗濯した後、洗濯物をすぐに第１出入口１５を通ってバルコニー１１まで運ぶことができ、また、乾いた洗濯物をバルコニー１１からすぐに第２出入口２０を通って収納室１７まで運び、この収納室１７の家事カウンター１７ｂで畳んで、収納部１７ａに収納できる。したがって、洗濯から収納までに必要ないわゆる洗濯動線を極力短くできる。
【００２３】
また、収納室１７に隣接して寝室として利用される部屋３が設けられており、この部屋３と収納室１７とを仕切る壁２１に第３出入口２２が設けられているので、収納室１７に収納してある衣服等を第３出入口２２を通ってすぐに寝室３に持ち込むことができ、利便性に優れたものとなる。
さらに、第２出入口２０と第３出入口２２とが対向しているので、これらを開放しておくことによって、バルコニー１１から収納室１７、収納室１７から部屋３へと、またその逆方向にも風の抜けがよくなり、比較的湿りがちな収納室１７の湿度上昇を防止できる。
【００２４】
加えて、洗濯機置場１６がバルコニー１１と洗面室１２との間にある外壁１４に沿って、かつ、第１出入口１５に近接して設けられているので、洗濯機置場１６に設置されている洗濯機から洗濯物を取り出し、第１出入口１５を通ってすぐにバルコニー１１に運ぶことができる。
また、洗面室１２に隣接して浴室１３が設けられ、この浴室１３への浴室出入口２４が前記第１出入口１５と対向しているので、バルコニー１１から洗面室１３、洗面室１３から浴室２３へと、またその逆方向にも風の抜けがよくなり、浴室２３の乾燥を促進できる。
また、洗面室１２と浴室１３とが透明なガラス板によって仕切られているので、洗面室１２と浴室１３とが視覚的に一体的な開放空間となる。
【図面の簡単な説明】
【００２５】
【図１】本発明に係る建物の一例を示すもので、２階の平面図である。
【符号の説明】
【００２６】
３  部屋
１１  バルコニー
１２  洗面室
１３  浴室
１４  外壁
１５  第１出入口
１６  洗濯機置場
１７  収納室
１８  外壁
２０  第２出入口
２２  第２出入口
２４  浴室出入口
【図１】
2008202227.tif 000003